(57)【要約】【課題】  ハウジングがケースから外れてしまうことを従来に比べて防止できる接点装置の提供。【解決手段】ケース２０と、ケース２０に対して接点装置の軸方向に可動なハウジング３０と、ケース２０に設けられるケース側爪４０と、ハウジング３０に設けられケース側爪４０と係合可能なハウジング側爪５０と、を有し、ケース側爪４０は、ケース２０から接点装置の軸方向と直交または略直交する方向に延びる第１の延び部４１と、第１の延び部４１の延び方向先端部から接点装置の軸方向と平行または略平行な方向に延びる第２の延び部４２と、を備えており、ハウジング側爪５０は、ハウジング３０から接点装置の軸方向と直交または略直交する方向に延びる第３の延び部５１と、第３の延び部５１の延び方向先端部から接点装置の軸方向と平行または略平行な方向に延びる第４の延び部５２と、を備えている、接点装置１０。【選択図】        図１
2008091297.tif 000002
【特許請求の範囲】
【請求項１】
ケースと、
前記ケースに対して接点装置の軸方向に可動なハウジングと、
前記ケースに設けられるケース側爪と、
前記ハウジングに設けられ前記ケース側爪と係合可能なハウジング側爪と、
を有し、
前記ケース側爪は、前記ケースから前記接点装置の軸方向と直交または略直交する方向に延びる第１の延び部と、該第１の延び部の延び方向先端部から前記接点装置の軸方向と平行または略平行な方向に延びる第２の延び部と、を備えており、
前記ハウジング側爪は、前記ハウジングから前記接点装置の軸方向と直交または略直交する方向に延びる第３の延び部と、該第３の延び部の延び方向先端部から前記接点装置の軸方向と平行または略平行な方向に延びる第４の延び部と、を備えている、接点装置。
【発明の詳細な説明】
【技術分野】
【０００１】
本発明は、接点装置に関する。
【背景技術】
【０００２】
特開２００５−１６６３１２号公報は、ハウジングがケースから外れる（脱落する）ことを防止するために、ケースにケース側爪が設けられハウジングにハウジング側爪が設けられている接点装置を開示している。ケース側爪は、ケースから接点装置の軸方向と直交する方向に直線状に延びている。ハウジング側爪は、ハウジングから接点装置の軸方向と直交する方向に直線状に延びている。
【０００３】
しかし、従来の接点装置にはつぎの問題点がある。
ケース側爪とハウジング側爪が接点装置の軸方向と直交する方向に直線状に延びているため、接点装置を該接点装置が取付けられる部材に取り付けるとき等に、ハウジングに工具などが当りハウジングに接点装置の軸方向と直交する方向の荷重が加わる可能性がある。その荷重によってハウジングが弾性変形してケースから外れてしまうおそれがある。
【特許文献１】特開２００５−１６６３１２号公報
【発明の開示】
【発明が解決しようとする課題】
【０００４】
本発明の目的は、ハウジングがケースから外れてしまうことを従来に比べて防止できる接点装置を提供することにある。
【課題を解決するための手段】
【０００５】
上記目的を達成する本発明はつぎの通りである。
（１）  ケースと、
前記ケースに対して接点装置の軸方向に可動なハウジングと、
前記ケースに設けられるケース側爪と、
前記ハウジングに設けられ前記ケース側爪と係合可能なハウジング側爪と、
を有し、
前記ケース側爪は、前記ケースから前記接点装置の軸方向と直交または略直交する方向に延びる第１の延び部と、該第１の延び部の延び方向先端部から前記接点装置の軸方向と平行または略平行な方向に延びる第２の延び部と、を備えており、
前記ハウジング側爪は、前記ハウジングから前記接点装置の軸方向と直交または略直交する方向に延びる第３の延び部と、該第３の延び部の延び方向先端部から前記接点装置の軸方向と平行または略平行な方向に延びる第４の延び部と、を備えている、接点装置。
【発明の効果】
【０００６】
上記（１）の接点装置によれば、ケース側爪が、ケースから接点装置の軸方向と直交または略直交する方向に延びる第１の延び部と、第１の延び部の延び方向先端部から接点装置の軸方向と平行または略平行な方向に延びる第２の延び部と、を備えており、ハウジング側爪が、ハウジングから接点装置の軸方向と直交または略直交する方向に延びる第３の延び部と、第３の延び部の延び方向先端部から接点装置の軸方向と平行または略平行な方向に延びる第４の延び部と、を備えているため、ハウジングに接点装置の軸方向と直交する方向の荷重がかかったときに、ケース側爪の第２の延び部とハウジング側爪の第４の延び部とを係合させることができる。その結果、ハウジングに接点装置の軸方向と直交する方向の荷重がかかっても、ケース側爪に第２の延び部が設けられておらずハウジングに第４の延び部が設けられていない場合（従来）に比べて、ハウジングがケースから外れてしまうことを防止できる。
【発明を実施するための最良の形態】
【０００７】
図１、図２は、本発明実施例の接点装置を示している。
本発明実施例の接点装置１０は、例えば、車両のウィンドウガラスに設けられる図示略のガラスアンテナに接触させて用いられる。
【０００８】
接点装置１０は、図１に示すように、ケース２０と、ケース２０に対して接点装置１０の軸方向（図１の上下方向であり、以下、軸方向という）に可動なハウジング３０と、ケース２０に設けられるケース側爪４０と、ハウジング３０に設けられケース側爪４０と係合可能なハウジング側爪５０と、を有する。接点装置１０は、さらに、接点部６０と、付勢部材７０と、を有する。
【０００９】
ケース２０は、たとえば樹脂製である。ケース２０は、内壁面がハウジング３０を軸方向にガイドするガイド面２１ａとされているケース本体２１と、ケース本体２１の外壁面の外側に位置し挿入用穴２２ａが設けられる取付け部２２と、付勢部材７０の座を構成する座部２３と、を備える。
取付け部２２の挿入用穴２２ａには、ケース２０を該ケース２０が取付けられる図示略の相手部材（筐体）に取付けるためのビス、ボルト等が挿入される。
【００１０】
ハウジング３０は、たとえば樹脂製である。ハウジング３０は、ケース本体２１のガイド面２１ａに沿って、ケース２０に対して軸方向に可動である。ハウジング３０は、図２に示すように、平板壁３１と、互いに対向する２つの側壁３２と、を備える。
平板壁３１には、接点部６０の一部をハウジング３０から外に露出させる貫通孔３１ａが設けられている。
側壁３２は、軸方向と直交する方向の力がかかったとき、樹脂弾性を利用して互いに接近・離反する方向に弾性変形可能である。
【００１１】
ケース側爪４０は、図１に示すように、ケース本体２１の軸方向の一端部（図１の上端部）に設けられる。ケース側爪４０は、ケース本体２１から軸方向と直交または略直交する方向にハウジング３０の側壁３２側に延びる第１の延び部４１と、第１の延び部４１の延び方向先端部から軸方向と平行または略平行な方向にケース本体２１の軸方向の他端側（図１の下側）に延びる第２の延び部４２と、を備える。第１の延び部４１と第２の延び部４２は直線状に延びていてもよく、少なくとも一部に湾曲部を有して延びていてもよい。第２の延び部４２の延び方向先端部は、ハウジング３０の側壁３２とハウジング側爪５０の第４の延び部５２との間に入り込んでいる。
【００１２】
ケース側爪４０が第１、第２の延び部４１，４２を備えるため、ケース本体２１とケース側爪４０とは、断面視で英語の「Ｊ」を上下方向に反転させた形状、または、断面視で英語の「Ｊ」を上下方向および左右方向に反転させた形状と同じかまたはほぼ同じ形状になる。
【００１３】
ハウジング側爪５０は、ハウジング３０の側壁３２の、平板壁３１と反対側の端部（図１の下端部、自由端部）に設けられる。ハウジング側爪５０は、側壁３２から軸方向と直交または略直交する方向にケース本体２１側に延びる第３の延び部５１と、第３の延び部５１の延び方向先端部から軸方向と平行または略平行な方向に平板壁３１側（図１の上側）に延びる第４の延び部５２と、を備える。第３の延び部５１と第４の延び部５２は直線状に延びていてもよく、少なくとも一部に湾曲部を有して延びていてもよい。第４の延び部５２の延び方向先端部は、ケース２０のケース本体２１とケース側爪４０の第２の延び部４２との間に入り込んでいる。
【００１４】
ハウジング側爪５０が第３、第４の延び部５１，５２を備えるため、側壁３２とハウジング側爪５０とは、断面視で英語の「Ｊ」または断面視で英語の「Ｊ」を左右方向に反転させた形状と同じかまたはほぼ同じ形状になる。
【００１５】
接点部６０は、導電性ゴムからなる。接点部６０は、図示略のガラスアンテナに接触する。接点部６０は、フランジ部６１を備えている。接点部６０は、フランジ部６１が圧入される金属プレート６１ａの抱え込み部分が貫通孔３１ａの周囲の平板壁３１に当接することにより、ハウジング３０から外れないように（抜けないように）されている。ただし、接点部６０は、金属プレート６１ａが設けられない場合には、フランジ部６１が貫通孔３１ａの周囲の平板壁３１に直接当接することにより、ハウジング３０から外れないように（抜けないように）されていてもよい。
【００１６】
付勢部材７０は、接点部６０を図示略のガラスアンテナに押し付ける方向に（軸方向でケース側爪４０とハウジング側爪５０とが係合し合う方向に）、接点部６０とハウジング３０とハウジング側爪５０をケース２０に対して付勢する部材である。付勢部材７０は、たとえばコイルスプリングからなる。ただし、付勢部材７０はコイルスプリング以外からなっていてもよい。付勢部材７０は、１部品のみ設けられていてもよく、２部品以上設けられていてもよい。
【００１７】
つぎに、本発明実施例の作用を説明する。
本発明実施例では、ケース側爪４０が、ケース２０から軸方向と直交または略直交する方向に延びる第１の延び部４１と、第１の延び部４１の延び方向先端部から軸方向と平行または略平行な方向に延びる第２の延び部４２と、を備えており、ハウジング側爪５０が、ハウジング３０から軸方向と直交または略直交する方向に延びる第３の延び部５１と、第３の延び部５１の延び方向先端部から軸方向と平行または略平行な方向に延びる第４の延び部５２と、を備えているため、ハウジング３０に軸方向と直交する方向の荷重がかかったときに、ケース側爪４０の第２の延び部４２とハウジング側爪５０の第４の延び部５２とが係合する（引っ掛かる、当接する）。その結果、ハウジング３０に軸方向と直交する方向の荷重がかかっても、ケース側爪４０に第２の延び部４２が設けられておらずハウジング５０に第４の延び部５２が設けられていない場合（従来）に比べて、ハウジング３０がケース２０から外れてしまうことを防止できる。
【図面の簡単な説明】
【００１８】
【図１】本発明実施例の接点装置の断面図である。
【図２】本発明実施例の接点装置の、ハウジングの斜視図である。
【符号の説明】
【００１９】
１０  接点装置
２０  ケース
２１  ケース本体
２２  取付け部
２３  座部
３０  ハウジング
３１  平板壁
３２  側壁
４０  ケース側爪
４１  第１の延び部
４２  第２の延び部
５０  ハウジング側爪
５１  第３の延び部
５２  第４の延び部
６０  接点部
６１  接点部のフランジ部
７０  付勢部材
【図１】
2008091297.tif 000003
【図２】
2008091297.tif 000004